(57)【要約】      （修正有）【課題】シリアルインタフェースを用いて接続されるドライブ装置とホスト装置との間のケーブルの引き回しにより、コネクタと回路基板の接点が離れることを抑止する。【解決手段】ＨＤＤユニットの回路基板１１７の接点部１１７ａと接続されるインタフェース６１のコネクタ部内部に設けられたプラグ６１ｂとを、ストッパ６１ｄによりコネクタ部が傾く（旋回する）ことのないよう規制することで、コネクタ部のケーブル部の引き回し時に生じることのあるコネクタ部６１ａの傾きに起因した回路基板とプラグとの接触不良の発生を抑止する。【選択図】図５
2009009627.tif 000002
【特許請求の範囲】
【請求項１】
データを保持する記憶装置本体と、
前記記憶装置本体を動作させる制御回路を有する回路基板と、
前記回路基板に設けられた接点部と、
前記記憶装置本体と前記回路基板を収容するハウジングと、
前記ハウジングに設けられた開口部を通じて、前記回路基板の前記接点部と接続されるプラグ部と、プラグ部に接続されたケーブル部とを含むコネクタと、
前記コネクタの前記ケーブル部に張力が及んだ際に、前記プラグ部が前記回路基板の前記接点部に対して非接触となる方向の力が生じることを抑止するストッパ部材と、
を有することを特徴とする情報記録再生装置の接続構造。
【請求項２】
前記ストッパ部材は、前記コネクタと一体に形成されることを特徴とする請求項１記載の接続構造。
【請求項３】
前記ストッパ部材は、前記ハウジングと一体に形成されることを特徴とする請求項１記載の接続構造。
【請求項４】
前記ストッパ部材は、前記コネクタに対して着脱可能であることを特徴とする請求項２記載の接続構造。
【請求項５】
前記ストッパ部材は、前記コネクタのケーブル部に引張り荷重がかかる方向に対して、前記コネクタが前記ハウジング側に変位することを防止する突起部を含むことを特徴とする請求項１ないし４のいずれかに記載の接続構造。
【請求項６】
前記ストッパ部材は、前記回路基板の前記接点部が伸びる方向と前記コネクタ部の前記プラグ部が伸びる方向とのなす角をθ１とし、前記プラグが伸びる方向と前記ハウジングの壁面を延長した線分との交点を中心とした前記コネクタ部の旋回角をθ２とするとき、  θ１  ＞  θ２  を提供できる大きさに規定されることを特徴とする請求項１ないし４のいずれかに記載の接続構造。
【請求項７】
データの書き込み及び読み出しが可能なハードディスクと、ハードディスクへのデータの書き込み及びハードディスクからのデータの読み出しを制御する制御回路基板と、を有するハードディスクユニットと、
前記ハードディスクユニットにデータを記録し、あるいはハードディスクユニットからデータを再生する主制御ユニットと、
コネクタ部とケーブル部と前記制御回路基板の接点部と接触されるプラグ部とを含み、前記ハードディスクユニットと前記主制御ユニットとをデータの転送が可能に接続するシリアルＡＴＡインタフェースと、
前記ハードディスクユニットを収容したハウジングと、
前記シリアルＡＴＡインタフェースのケーブル部に、前記ハウジングに向かう方向の張力が印加された際に、前記シリアルＡＴＡインタフェースの前記プラグ部が前記制御回路基板の前記接点部と非接触となる方向の力が前記シリアルＡＴＡインタフェースの前記コネクタ部に生じることを抑止可能なストッパ部と、
を有することを特徴とする情報記録再生装置。
【請求項８】
前記ストッパ部は、前記コネクタ部と一体に形成されることを特徴とする請求項７記載の情報記録再生装置。
【請求項９】
前記ストッパ部は、前記コネクタ部に対して着脱可能であることを特徴とする請求項８記載の情報記録再生装置。
【請求項１０】
前記ストッパ部は、前記制御回路基板の前記接点部が伸びる方向と前記コネクタ部の前記プラグ部が伸びる方向とのなす角をθ１とし、前記プラグが伸びる方向と前記ハウジングの壁面を延長した線分との交点を中心とした前記コネクタ部の旋回角をθ２とするとき、  θ１  ＞  θ２  を提供できる大きさに規定されることを特徴とする請求項７ないし９のいずれかに記載の情報記録再生装置。
【発明の詳細な説明】
【技術分野】
【０００１】
この発明は、ＩＤＥ／ＡＴＡ等に代表されるシリアルインタフェースにより接続されるドライブ装置とホスト装置を含む情報記録再生装置及びその接続構造に関する。
【背景技術】
【０００２】
情報記録再生装置においては、ホスト装置とドライブ装置がシリアルインタフェースを介して相互に接続されている。
【０００３】
例えば、を主記憶装置として有するＤＶＤレコーダ等においては、ＩＤＥ（ｉｎｔｅｇｒａｔｅｄ  ｄｅｖｉｃｅ  ｅｌｅｃｔｒｏｎｉｃｓ，パーソナルコンピュータと内蔵用のハードディスクを接続するためのインタフェース）や、ＡＴＡ（ＡＴ  ａｔｔａｃｈｍｅｎｔ）インタフェースが広く利用されている。
【０００４】
なお、ＡＴＡインタフェースの転送方式をシリアルに変更し、より高速化したシリアルＡＴＡが発表され、今日、多くの情報記録再生装置やパーソナルコンピュータ（ＰＣ）に広く適用されている。
【０００５】
特許文献１には、シリアルＡＴＡコネクタによりホスト装置と接続される磁気ディスク装置（ＨＤＤ）において、ＨＤＤとシリアルＡＴＡコネクタとを接続する際に、ＨＤＤ側の回路基板に、回路基板を引き剥がす方向の力がかかることを防止することが開示されている。
【特許文献１】特開２００６−７３４８１
【発明の開示】
【発明が解決しようとする課題】
【０００６】
しかしながら、シリアルＡＴＡを用いてＨＤＤと接続されたケーブルを引き回す際に、ホスト側のコネクタに大きな力が加わると、コネクタと回路基板の接点が離れ、接触不良が生じやすいことが知られているが、上記文献には、その防止策についての開示はない。
【０００７】
この発明の目的は、シリアルインタフェースを用いて接続されるドライブ装置とホスト装置との間のケーブルの引き回しにより、コネクタと回路基板の接点が離れることを抑止可能なコネクタ構造（接続構造）及びその接続構造により接続されたハードディスク装置（ＨＤＤ）を含む情報記録再生装置を提供することである。
【課題を解決するための手段】
【０００８】
この発明は、上記問題点に基づきなされたもので、データを保持する記憶装置本体と、前記記憶装置本体を動作させる制御回路を有する回路基板と、前記回路基板に設けられた接点部と、前記記憶装置本体と前記回路基板を収容するハウジングと、前記ハウジングに設けられた開口部を通じて、前記回路基板の前記接点部と接続されるプラグ部と、プラグ部に接続されたケーブル部とを含むコネクタと、前記コネクタの前記ケーブル部に張力が及んだ際に、前記プラグ部が前記回路基板の前記接点部に対して非接触となる方向の力が生じることを抑止するストッパ部材と、を有することを特徴とする情報記録再生装置の接続構造である。
【発明の効果】
【０００９】
この発明の１つの実施の形態を用いることで、データ記憶装置本体（ＨＤＤユニット）の回路基板（制御基板）の接点部と接続（連結）されるシリアルＡＴＡインタフェースのコネクタ部内部に設けられたプラグ（接点部）とを、ストッパ（突起部あるいは肉盛り部もしくは補助部材（旋回規制部材））により、コネクタ部が傾く（旋回する）ことのないよう規制できるため、コネクタ部のケーブル部の引き回し時に生じることのあるコネクタ部の傾きに起因した回路基板とプラグ（接点部）との接触不良の発生を抑止できる。
【発明を実施するための最良の形態】
【００１０】
以下、図面を参照して、本発明の実施の形態の一例について説明する。
【００１１】
図１に、この発明の実施の形態の一例が適用される情報記録再生装置の概略を示す。なお、図１に示す情報記録再生装置としては、映像（ビデオ）及び音声（オーディオ）が記録可能なレコーダ装置やビデオカメラ等も含まれる。もちろん、パーソナルコンピュータ（ＰＣ）もしくはＰＣに接続可能なディスクドライブ装置、あるいは自動車等に搭載可能なナビゲーション装置であってもよいことはいうまでもない。
【００１２】
図１に示すように、情報記録再生装置１は、詳述しないが、記録媒体すなわち光ディスクに保持されているデータを読み出し、もしくは光ディスク（記録媒体）にデータを記録するディスクドライブユニット３と、光ディスクから読み出したデータを再生し、あるいは光ディスクに記録すべきデータを処理するホストユニット５と、ディスクドライブユニット３とホストユニット５との間のデータの転送に用いられるＡＴＡＰＩ（ＡＴ  ａｔｔａｃｈｍｅｎｔ  ｐａｃｋｅｔ  ｉｎｔｅｒｆａｃｅ  ）７を含む。
【００１３】
ホストユニット５は、ＡＴＡＰＩ７を介してディスクドライブユニット３と接続されたＭＰＵ（ＣＰＵを含むメイン処理ユニット）５１を含む。
【００１４】
ＭＰＵ５１は、ＣＰＵ（主制御ユニット）に加え、例えばハードディスクドライブ（ＨＤＤ）ユニット５３、メインメモリ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ，ＳＤＲＡＭ）５５、ＣＯＤＥＣ（エンコーダ／デコーダ）ユニット５７、及びＯＳＤ（Ｏｎ  Ｓｃｒｅｅｎ  Ｄｉｓｐｌａｙ，オンスクリーンディスプレイ）ユニット５９等を含む。
【００１５】
なお、ホストユニット５には、例えば放送衛星や通信衛星により中継される衛星放送や空間波（地上表面波）として供給されるテレビ放送等を受信するチューナユニットや、ケーブルテレビ網あるいはネットワーク上のサーバを介して取得可能な（供給される）映像／音楽コンテンツが入力される外部入力部が接続されてもよいことはいうまでもない。また、ＨＤＤ（ハードディスクドライブ）ユニット５３は、シリアルＡＴＡ（ＳＡＴＡ）インタフェース６１を介して、ＭＰＵ５１と接続されている。
【００１６】
ＨＤＤユニット５３は、例えばディスクドライブ３にセットされた図示しない光ディスク（記録媒体）から読み出された動画データ（ビデオ信号）及びオーディオ（（音楽を含む）音声信号）データを、情報記録再生装置（プレーヤ装置）１に接続されるモニタ装置やスピーカ等に、出力可能に保持する。また、ＨＤＤユニット５３は、衛星放送や空間波（地上表面波）として供給されるテレビ放送等、もしくはケーブルテレビ網あるいはネットワーク上のサーバを介して取得可能な映像／音楽コンテンツを、モニタ装置やスピーカ等に、出力可能に保持する。
【００１７】
メインメモリ（ＳＤＲＡＭ）５５は、例えば動画データの展開や表示のための再配置等に用いられるワークメモリとして利用される。また、図示しない操作部からの入力情報の一時的な保持等にも利用される。
【００１８】
ＣＯＤＥＣ（エンコーダ／デコーダ）ユニット５７は、光ディスクＭに記録すべきデータやＨＤＤユニット５３に保持されているデータの圧縮及び伸長に用いられ、動画については、例えばＨ．２６４、ＶＣ１、ＭＰＥＧ２、ＭＰＥＧ４  ＡＶＣ（単に、ＡＶＣと称されることも多い）等と呼ばれる少なくとも１つの規格に準拠したものが用意される。また、静止画については、例えばＰＮＧ、ＪＰＥＧ（ＪＰＧ）、テキストとしてのＰＤＦ等の規格が用いられる。一方、オーディオについては、例えばＡＡＣ（Ａｄｖａｎｃｅｄ  Ａｕｄｉｏ  Ｃｏｄｉｎｇ）、ＡＣ−３（Ａｕｄｉｏ  Ｃｏｄｅ  ｎｕｍｂｅｒ  ３）、ＤＴＳ（Ｄｉｇｉｔａｌ  Ｔｈｅａｔｅｒ  Ｓｙｓｔｅｍ）、リニアＰＣＭ等が用意される。
【００１９】
ＯＳＤユニット５９は、情報記録再生装置１に図示しないモニタ装置が接続されている場合に、取得した映像／音楽コンテンツ（映像あるいはジャケット写真と呼ばれる静止画もしくは文字情報）あるいはコンテンツに付属するコンテンツとは独立の映像あるいは静止画や文字情報と、図示しない操作部による入力（操作情報）や動作状態を示す表示等を１つの画像として表示させるために用いられる。
【００２０】
図２は、図１に示したホストユニットにおけるＨＤＤ（ハードディスクドライブ）とＭＰＵ（メイン処理ユニット）とを接続するシリアルＡＴＡとＨＤＤの外観の一部を模式的に示している。
【００２１】
ＨＤＤユニット５３は、ハウジング１１１と、ハウジング１１１内に収容され、データの書き込み及び読み出しが可能なハードディスク（ＨＤ）１１３と、詳述しないが、ハードディスク（ＨＤ）に対してデータを書き込みあるいはデータを読み出す磁気ヘッドと、ＨＤ１１１及び磁気ヘッドを保持するベースフレーム１１５と、詳述しないが、ＨＤ１１３を所定速度で回転する駆動モータと、磁気ヘッド及び駆動モータの動作、及びデータの書き込み及び読み出しを制御するとともに、シリアルＡＴＡ６１が接続される制御基板１１７等を含む。
【００２２】
制御基板１１７の一端部は、シリアルＡＴＡ６１のコネクタ部６１ａが接触される接点部１１７ａを有し、ハウジング１１１の外側から開口部１１１ａを通じてシリアルＡＴＡ６１のコネクタ部６１ａが挿入されることで、シリアルＡＴＡ６１と接続される。これにより、シリアルＡＴＡ６１により接続されるＭＰＵ５１による制御及びデータの書き込みあるいは読出しが可能となる。
【００２３】
ところで、シリアルＡＴＡ６１のコネクタ部６１ａは、図３に示す通り、接点部（プラグ）６１ｂが一方向にのみ設けられている。従って、シリアルＡＴＡ６１のケーブル部６１ｃの引き回しにおいて、図４に示すように、ＨＤＤユニット５３の制御基板１１７の接点部１１７ａとシリアルＡＴＡ６１のコネクタ部６１ａとが離れる方向の力がかかる場合がある。なお、シリアルＡＴＡ６１のケーブル部６１ｃは、通常のワイヤケーブルと比較すると堅いため、ケーブル部６１ｃを曲げると、制御基板１１７の接点部１１７ａとの接触不良が発生し易い。
【００２４】
このため、図５に示すように、コネクタ部６１ａ（シリアルＡＴＡ６１）において、ケーブル部６１ｃに引張り荷重がかかる方向（ケーブルが円弧状あるいは多角形状に引き回される場合に内側（ＨＤＤユニット５３側）になる方向）に、ストッパ（突起部あるいは肉盛り部）６１ｄを設けることにより、ＨＤＤユニット５３の制御基板１１７の接点部１１７ａとシリアルＡＴＡ６１のコネクタ部６１ａとが離れることを抑止できる。
【００２５】
なお、突起部あるいは肉盛り部６１ｄの大きさは、ＨＤＤユニット５３の制御基板１１７の接点部１１７ａが伸びる方向とシリアルＡＴＡ６１のコネクタ部６１ａ内のプラグ６１ｄが伸びる方向とのなす角をθ１とし、シリアルＡＴＡ６１のコネクタ部６１ａに設けられる突起部あるいは肉盛り部６１ｄによりコネクタ部６１ａ内のプラグ６１ｄが伸びる方向とＨＤＤユニット５３のハウジング１１１の壁面を延長した線分との交点を中心としたコネクタ部６１ａの旋回（可能）角をθ２とするとき、θ１  ＞  θ２  となる大きさに規定される。すなわち、突起部（肉盛り部）６１ｄを追加し、θ１  ＞  θ２  とすることにより、コネクタ部６１ａのプラグ（接触部）６１ｂとＨＤＤ５３のハウジング１１１の形状に、コネクタ部６１ａの傾きが左右されない、接触不良が生じにくい接続（連結）が可能となる。
【００２６】
また、図６に示すように、シリアルＡＴＡ６１のコネクタ部６１ａに設けられる突起部あるいは肉盛り部６１ｄに換えて、ＨＤＤユニット５３のハウジング１１１の壁面に同様の突起部あるいは補助部材１１１ｂを取り付けてもよいことはいうまでもない。
【００２７】
また、図７に示すように、シリアルＡＴＡ６１のコネクタ部６１ａに、溝状であって、表面から見た幅よりも奥側の幅が広い「あり溝（ｄｏｖｅｔａｉｌ  ｊｏｉｎｔ）」部６１ｅを設け、対応する「ほぞ（ｄｏｖｅｔａｉｌ  ｔｅｎｏｎ）」、あるいは「三角形の（ｔｒｉａｎｇｕｌａｒ）」突起部を設けた補助部材（旋回規制部材）６３を連結してもよい。すなわち、図７に示した補助部材６３を用いる場合、補助部材６３の突出量（肉盛り量）を任意に設定でき、例えばＨＤＤユニット５３の組み立て工程や引き続くケーブル部６１ｃの引き回しに応じ、（作業性も考慮した）最適な突出量（肉盛り量）を提供することができる。
【００２８】
また、突起部（肉盛り部）６１ｄに換えて、補助部材（旋回規制部材）６３とすることで、シリアルＡＴＡ６１を変更することなく、アウターモールド（突起部（肉盛り部））の隆起量を容易に変えることができる。
【００２９】
このように、データ記憶装置本体（ＨＤＤユニット）５３に実装された回路基板（制御基板）１１７の接点部１１７ａと接続（連結）されるシリアルＡＴＡインタフェース６３のコネクタ部６１ａ内部に設けられたプラグ（接点部）６１ｂとを、コネクタ部６１ａに設けたストッパ（突起部あるいは肉盛り部６１ｄ、もしくは補助部材（旋回規制部材）６３）により、コネクタ部６１ａの傾き（旋回）が生じることのないよう規制することで、コネクタ部６１ａのケーブル部６１ｃの引き回し時に生じることのあるコネクタ部６１ａの傾きに起因した回路基板とプラグ（接点部）との接触不良の発生を抑止できる。
【００３０】
また、突起部あるいは肉盛り部もしくは補助部材（旋回規制部材）は、ＨＤＤユニット５３側に設けられてもよく、ＨＤＤユニット５３の組み立て工程や、引き続くケーブル部６１ｃの引き回しに応じ、作業性も考慮した最適な突出量（肉盛り量）のストッパを提供することができる。
【００３１】
なお、本発明の内容はここに記述した形態だけに限定されるものではなく、その主旨を逸脱しない範囲で、他にも様々な形態を取り得ることはいうまでもない。また、各実施の形態は、可能な限り適宜組み合わせて、もしくは一部を削除して実施されてもよく、その場合は、組み合わせもしくは削除に起因したさまざまな効果が得られる。
【図面の簡単な説明】
【００３２】
【図１】この発明の実施の形態が適用される情報記録再生装置の一例を示す概略図。
【図２】図１に示した情報記録再生装置において、ＨＤＤ（ハードディスクドライブ）とＭＰＵ（メイン処理ユニット）とを接続するシリアルＡＴＡとＨＤＤの外観の一部を模式的に示す概略図。
【図３】図１に示した情報記録再生装置において、シリアルＡＴＡコネクタとハードディスクドライブの回路基板との間で接触不良が生じる要因の一例を示す概略図。
【図４】図１に示した情報記録再生装置において、シリアルＡＴＡコネクタとハードディスクドライブの回路基板との間で接触不良が生じる要因の一例を示す概略図。
【図５】図３及び図４に示したシリアルＡＴＡコネクタとハードディスクドライブの回路基板との間で生じる接触不良を抑制可能な構造の一例を説明する概略図。
【図６】図３及び図４に示したシリアルＡＴＡコネクタとハードディスクドライブの回路基板との間で生じる接触不良を抑制可能な構造の別の一例を説明する概略図。
【図７】図３及び図４に示したシリアルＡＴＡコネクタとハードディスクドライブの回路基板との間で生じる接触不良を抑制可能な構造のさらに別の一例を説明する概略図。
【符号の説明】
【００３３】
１…情報記録再生装置、３…ディスクドライブユニット、５…ホストユニット、７…ＡＴＡＰＩ、５１…ＭＰＵ（メイン処理ユニット）、５３…ハードディスクドライブ（ＨＤＤ）ユニット、５５…メインメモリ、５７…ＣＯＤＥＣ（エンコーダ／デコーダユニット）、５９…ＯＳＤ（オンスクリーンディスプレイユニット）、６１…シリアルＡＴＡ（インタフェース）、６１ａ…コネクタ部（シリアルＡＴＡ）、６１ｂ…プラグ（接点部，シリアルＡＴＡ）、６１ｃ…ケーブル部（シリアルＡＴＡ）、６１ｄ…ストッパ（突起部あるいは肉盛り部，シリアルＡＴＡ）、６１ｅ…あり溝（ｄｏｖｅｔａｉｌ  ｊｏｉｎｔ）部（シリアルＡＴＡ）、６３…補助部材（旋回規制部材）、１１１…ハウジング、１１３…ハードディスク（ＨＤ）、１１５…ベースフレーム、１１７…制御基板、１１７ａ…接点部。
【図１】
2009009627.tif 000003
【図２】
2009009627.tif 000004
【図３】
2009009627.tif 000005
【図４】
2009009627.tif 000006
【図５】
2009009627.tif 000007
【図６】
2009009627.tif 000008
【図７】
2009009627.tif 000009